(57)【要約】【課題】画像データの第三者への漏洩を防ぐことにより、セキュリティ性能を向上させる。【解決手段】着脱検知部により操作盤がプリンタ本体から取り外されたことが検知された場合（ステップＳ３０１）、機密保持処理部は、機密保持処理が必要なセキュリティレベルの画像データが記憶内に存在するか否かを判定する（ステップＳ３０２）。記憶部内に機密保持処理が必要なセキュリティレベルの画像データが存在する場合、機密保持処理部は、そのセキュリティレベルの画像データを消去するという機密保持処理を行う（ステップＳ３０３）。【選択図】図１０
2009005201.tif 000002
【特許請求の範囲】
【請求項１】
他の装置からの着脱を検知する検知手段と、
他の装置からから取り外された場合の機密保持処理に関する情報とともに画像データを記憶する画像データ記憶手段と、
前記検知手段により他の装置からから取り外されたことが検知された場合、前記画像データ記憶手段に記憶されている機密保持処理に関する情報に基づいて、画像データの機密保持処理を行う機密保持処理手段とを有し、
他の装置に着脱可能な可搬性記憶装置。
【請求項２】
他の装置からの着脱を検知する検知手段と、
画像データを記憶する画像データ記憶手段と、
前記検知手段により他の装置からから取り外されたことが検知された場合、前記画像データ記憶手段に記憶されている画像データの機密保持処理を行う機密保持処理手段とを有し、
他の装置に着脱可能な可搬性記憶装置。
【請求項３】
画像形成装置からの着脱を検知する検知手段と、
画像形成装置からから取り外された場合の機密保持処理に関する情報とともに画像データを記憶する画像データ記憶手段と、
前記検知手段により画像形成装置からから取り外されたことが検知された場合、前記画像データ記憶手段に記憶されている機密保持処理に関する情報に基づいて、画像データの機密保持処理を行う機密保持処理手段とを有し、
画像形成装置に着脱可能な操作盤。
【請求項４】
画像形成装置から取り外された場合の機密保持処理を画像データ毎に設定するための設定手段をさらに有する請求項３記載の操作盤。
【請求項５】
画像形成装置からの着脱を検知する検知手段と、
画像データを記憶する画像データ記憶手段と、
前記検知手段により画像形成装置からから取り外されたことが検知された場合、前記画像データ記憶手段に記憶されている画像データの機密保持処理を行う機密保持処理手段とを有し、
画像形成装置に着脱可能な操作盤。
【請求項６】
前記機密保持処理手段により行われる機密保持処理が、画像データの消去処理である請求項３から５のいずれか１項記載の操作盤。
【請求項７】
画像出力手段と、
前記画像出力手段に対して操作を行う操作盤とを有し、
前記操作盤が、画像形成装置本体と着脱可能な構成となっているとともに画像形成装置からの着脱を検知する検知手段と、画像形成装置からから取り外された場合の機密保持処理に関する情報とともに画像データを記憶する画像データ記憶手段と、前記検知手段により画像形成装置からから取り外されたことが検知された場合、前記画像データ記憶手段に記憶されている機密保持処理に関する情報に基づいて画像データの機密保持処理を行う機密保持処理手段とを有する画像形成装置。
【請求項８】
他の装置からの着脱を検知するステップと、
他の装置から取り外された場合の機密保持処理に関する情報とともに画像データを記憶するステップと、
他の装置から取り外されたことを検知した場合、記憶されている機密保持処理に関する情報に基づいて、画像データの機密保持処理を行うステップとを、他の装置に着脱可能な可搬性記憶装置を制御するコンピュータに実行させるためのプログラム。
【請求項９】
画像形成装置からの着脱を検知するステップと、
画像形成装置から取り外された場合の機密保持処理に関する情報とともに画像データを記憶するステップと、
画像形成装置から取り外されたことを検知した場合、記憶されている機密保持処理に関する情報に基づいて、画像データの機密保持処理を行うステップとを、画像形成装置に着脱可能な操作盤を制御するコンピュータに実行させるためのプログラム。
【発明の詳細な説明】
【技術分野】
【０００１】
本発明は、可搬性記憶装置、操作盤および画像形成装置とプログラムに関する。
【背景技術】
【０００２】
特許文献１には、複合機等のプリンタ本体から着脱可能であり、それ単体で運用可能な形態端末ともなり、プリンタ以外のパーソナルコンピュータ等のデバイスとも接続・通信可能な操作部が開示されている。
【０００３】
【特許文献１】特開２００３−３０９６８１号公報
【発明の開示】
【発明が解決しようとする課題】
【０００４】
本発明の目的は、画像データの第三者への漏洩を防ぐことにより、セキュリティ性能が向上した可搬性記憶装置、操作盤および画像形成装置とプログラムを提供することである。
【課題を解決するための手段】
【０００５】
[可搬性記憶装置]
請求項１に係る本発明は、他の装置からの着脱を検知する検知手段と、
他の装置からから取り外された場合の機密保持処理に関する情報とともに画像データを記憶する画像データ記憶手段と、
前記検知手段により他の装置からから取り外されたことが検知された場合、前記画像データ記憶手段に記憶されている機密保持処理に関する情報に基づいて、画像データの機密保持処理を行う機密保持処理手段とを有し、
他の装置に着脱可能な可搬性記憶装置である。
【０００６】
請求項２に係る本発明は、他の装置からの着脱を検知する検知手段と、
画像データを記憶する画像データ記憶手段と、
前記検知手段により他の装置からから取り外されたことが検知された場合、前記画像データ記憶手段に記憶されている画像データの機密保持処理を行う機密保持処理手段とを有し、
他の装置に着脱可能な可搬性記憶装置である。
【０００７】
[操作盤]
請求項３に係る本発明は、画像形成装置からの着脱を検知する検知手段と、
画像形成装置からから取り外された場合の機密保持処理に関する情報とともに画像データを記憶する画像データ記憶手段と、
前記検知手段により画像形成装置からから取り外されたことが検知された場合、前記画像データ記憶手段に記憶されている機密保持処理に関する情報に基づいて、画像データの機密保持処理を行う機密保持処理手段とを有し、
画像形成装置に着脱可能な操作盤である。
【０００８】
請求項４に係る本発明は、画像形成装置から取り外された場合の機密保持処理を画像データ毎に設定するための設定手段をさらに有する請求項３記載の操作盤である。
【０００９】
請求項５に係る本発明は、画像形成装置からの着脱を検知する検知手段と、
画像データを記憶する画像データ記憶手段と、
前記検知手段により画像形成装置からから取り外されたことが検知された場合、前記画像データ記憶手段に記憶されている画像データの機密保持処理を行う機密保持処理手段とを有し、
画像形成装置に着脱可能な操作盤である。
【００１０】
請求項６に係る本発明は、前記機密保持処理手段により行われる機密保持処理が、画像データの消去処理である請求項３から５のいずれか１項記載の操作盤である。
【００１１】
[画像形成装置]
請求項７に係る本発明は、画像出力手段と、
前記画像出力手段に対して操作を行う操作盤とを有し、
前記操作盤が、画像形成装置本体と着脱可能な構成となっているとともに画像形成装置からの着脱を検知する検知手段と、画像形成装置からから取り外された場合の機密保持処理に関する情報とともに画像データを記憶する画像データ記憶手段と、前記検知手段により画像形成装置からから取り外されたことが検知された場合、前記画像データ記憶手段に記憶されている機密保持処理に関する情報に基づいて画像データの機密保持処理を行う機密保持処理手段とを有する画像形成装置である。
【００１２】
[プログラム]
請求項８に係る本発明は、他の装置からの着脱を検知するステップと、
他の装置から取り外された場合の機密保持処理に関する情報とともに画像データを記憶するステップと、
他の装置から取り外されたことを検知した場合、記憶されている機密保持処理に関する情報に基づいて、画像データの機密保持処理を行うステップとを、他の装置に着脱可能な可搬性記憶装置を制御するコンピュータに実行させるためのプログラムである。
【００１３】
請求項９に係る本発明は、画像形成装置からの着脱を検知するステップと、
画像形成装置から取り外された場合の機密保持処理に関する情報とともに画像データを記憶するステップと、
画像形成装置から取り外されたことを検知した場合、記憶されている機密保持処理に関する情報に基づいて、画像データの機密保持処理を行うステップとを、画像形成装置に着脱可能な操作盤を制御するコンピュータに実行させるためのプログラムである。
【発明の効果】
【００１４】
請求項１に記載された発明によれば、他の装置から取り外された場合に、画像データの機密保持を図ることが可能な可搬性記憶装置を提供することができる。
【００１５】
請求項２に記載された発明によれば、他の装置から取り外された場合に、画像データの機密保持を図ることが可能な可搬性記憶装置を提供することができる。
【００１６】
請求項３に記載された発明によれば、画像形成装置から取り外された場合に、画像データの機密保持を図ることが可能な操作盤を提供することができる。
【００１７】
請求項４に記載された発明によれば、画像形成装置から取り外された場合の機密保持処理を画像データ毎に設定することができる操作盤を提供することができる。
【００１８】
請求項５に記載された発明によれば、画像形成装置から取り外された場合に、画像データの機密保持を図ることが可能な操作盤を提供することができる。
【００１９】
請求項６に記載された発明によれば、画像形成装置から取り外された場合に画像データを消去することにより、画像データの機密保持を図ることができる操作盤を提供することができる。
【００２０】
請求項７に記載された発明によれば、操作盤が画像形成装置から取り外された場合に、画像データの機密保持を図ることが可能な画像形成装置を提供することができる。
【００２１】
請求項８に記載された発明によれば、他の装置に着脱可能な可搬性記憶装置を制御するプログラムにおいて画像データの機密保持を図ることができる。
【００２２】
請求項９に記載された発明によれば、画像形成装置に着脱可能な操作盤を制御するプログラムにおいて画像データの機密保持を図ることができる。
【発明を実施するための最良の形態】
【００２３】
次に、本発明の実施の形態について図面を参照して詳細に説明する。
【００２４】
［第１の実施形態］
図１は本発明の第１の実施形態を説明するための画像処理システムの構成を示す図である。
【００２５】
図１に示すように、本実施形態における画像処理システムは、ネットワーク３０を介して接続されたプリンタ１０および端末装置２０とから構成されている。端末装置２０は、印刷ジョブ等の画像データを生成して、画像形成装置１０に対して送信する。画像形成装置１０は、指定された画像データに基づいて画像を出力するための画像出力手段を有し、端末装置２０から送信された画像データを受け付けて、画像データに応じた画像を印刷用紙上に出力する。
【００２６】
次に、本実施形態のプリンタ１０の操作盤付近の外観を図２に示す。
本実施形態におけるプリンタ１０には、図２に示されるように、印刷設定等の各種操作を行って画像出力手段に対して操作を行うための操作盤１５が設けられている。
【００２７】
そして、本実施形態における操作盤１５は、図３に示されるように、プリンタ１０の本体から着脱可能な構成となっており、プリンタ１０の本体との間で無線回線等による通信を行うことによりプリンタ１０の本体から離れた状態においても印刷設定等の各種操作が可能となっている。
【００２８】
次に、この操作盤１５のハードウェア構成を図４に示す。操作盤１５は、図４に示されるように、ＣＰＵ１５１、記憶部１５２、無線回線等を介してプリンタ１０の本体や他の装置との間でデータの送受信を行う通信インタフェース（ＩＦ）１５３、タッチパネル又は液晶ディスプレイ並びにキーボードを含むユーザインタフェース（ＵＩ）装置１５４、電源部１５５を有する。これらの構成要素は、制御バス１５６を介して互いに接続されている。
【００２９】
ＣＰＵ１５１は、記憶部１５２に格納された処理プログラムに基づいて所定の処理を実行して、操作盤１５の動作を制御する。
【００３０】
図５は、上記の処理プログラムが実行されることにより実現される操作盤１５の機能構成を示すブロック図である。本実施形態における操作盤１５は、図５に示されるように、設定部３１と、着脱検知部３２と、記憶部１５２と、機密保持処理部３４とを備えている。
【００３１】
設定部３１は、上記のＵＩ装置１５４等をユーザが操作することにより、操作盤１５がプリンタ１０の本体から取り外された場合の機密保持処理の内容を、機密保持性が要求されるレベルであるセキュリティレベル（機密保持の水準）毎に設定する。
【００３２】
着脱検知部３２は、操作盤１５のプリンタ１０の本体からの着脱を検知する。つまり、着脱検知部３２は、操作盤１５がプリンタ１０の本体から取り外されたことや、操作盤１５がプリンタ１０の本体に取り付けられたことを検出する。
【００３３】
記憶部１５２は、設定部３１により設定された機密保持処理の内容をセキュリティレベルに対応して記憶するセキュリティレベル記憶手段として機能する。このようにして記憶部１５２に記憶された処理内容の一例を図６に示す。
【００３４】
図６に示す例では、操作盤１５がプリンタ１０の本体から取り外された場合に、セキュリティレベルがレベル１の画像データに対して「消去」という機密保持処理を行うことが設定されている。また、操作盤１５がプリンタ１０の本体から取り外された場合に、セキュリティレベルがレベル２、３の画像データに対しては、機密保持処理を行わないことが設定されている。
【００３５】
また、記憶部１５２は、端末装置２０から送られてきた画像データを、この画像データに設定されたセキュリティレベルとともに記憶する画像データ記憶手段として機能する。このように記憶されている画像データの一例を図７に示す。
【００３６】
図７に示す例では、「忘年会の参加者リスト」という画像データについては、セキュリティレベルとしてレベル３が設定されており、「○○○のプロジェクトの進捗状況」、「組織図」という画像データについては、セキュリティレベルとしてレベル２が設定されており、「顧客リスト」という画像データについては、セキュリティレベルとしてレベル１が設定されている。
【００３７】
機密保持処理部３４は、着脱検知部３２により操作盤１５がプリンタ１０の本体から取り外されたことが検出された場合、記憶部１５２に記憶されている各画像データに設定されているセキュリティレベルに基づいて、各画像データの機密保持処理を行う。
【００３８】
次に、本実施形態の画像処理システムの動作を図面を参照して詳細に説明する。
【００３９】
先ず、各セキュリティレベルに対する機密保持処理の内容を設定する場合の動作を、図８のフローチャートを参照して説明する。
この場合には、ユーザが上記のＵＩ装置１５４を操作してメニュー画面等を表示させ、このメニュー画面上で各セキュリティレベルに対する処理内容を指定することにより、各セキュリティレベルに対する機密保持処理の内容が設定される（ステップＳ１０１）。設定された処理内容は、記憶部１５２に記憶される。
【００４０】
次に、画像データが、設定されたセキュリティレベルとともに操作盤１５の記憶部１５２に記憶される際の動作を、図９のフローチャートを参照して説明する。
【００４１】
端末装置２０からセキュリティレベルが付加された画像データが、操作盤１５へ格納するよう指定されて送信されてくると、プリンタ１０では、この画像データを受信し（ステップＳ２０１）、受信した画像データを操作盤１５の記憶部１５２に転送する（ステップＳ２０２）。そして、このセキュリティレベルが付加された画像データは、記憶部１５２に記憶される。
【００４２】
最後に、画像データを格納した操作盤１５がプリンタ１０の本体から取り外された場合の操作盤１５における動作を図１０のフローチャートを参照して説明する。
【００４３】
先ず、着脱検知部３２により操作盤１５がプリンタ１０の本体から取り外されたことが検知された場合（ステップＳ３０１）、機密保持処理部３４は、機密保持処理が必要なセキュリティレベルの画像データが記憶部１５２内に存在するか否かを判定する（ステップＳ３０２）。記憶部１５２内に機密保持処理が必要なセキュリティレベルの画像データが存在する場合、機密保持処理部３４は、そのセキュリティレベルの画像データに対して、設定されているセキュリティレベルに応じた機密保持処理を行う（ステップＳ３０３）。
【００４４】
例えば、図７に示す「顧客リスト」という画像データにはセキュリティレベルとしてレベル１が設定されているため、操作盤１５がプリンタ１０の本体から取り外された場合、機密保持処理部３４は、図６に示した設定内容に基づいて、「顧客リスト」という画像データに対して消去するという機密保持処理を行う。このように、操作盤１５がプリンタ１０の本体から取り外されただけで、操作盤１５内の記憶部１５２に記憶されていた画像データのうちセキュリティレベルがレベル１の画像データは消去される。
【００４５】
なお、図７に示す「○○○プロジェクト進捗状況」、「組織図」という画像データにはセキュリティレベルとしてレベル２が設定されて、「忘年会参加者リスト」という画像データにはセキュリティレベルとしてレベル３が設定されているため、操作盤１５がプリンタ１０の本体から取り外され場合でも何の処理も行われない。
【００４６】
なお、本実施形態では、端末装置２０からプリンタ１０に転送されてきた印刷処理を行うための画像データ（印刷データ）が操作盤１５内の記憶部１５２に記憶されるものとして説明していたが、印刷処理を行わない画像データが端末装置２０からプリンタ１０に転送されて操作盤１５内の記憶部１５２に記憶される場合でも同様に本発明を適用することができるものである。
【００４７】
また、本実施形態では、端末装置２０からプリンタ１０に転送される画像データにはセキュリティレベルが設定されているものとして説明しているが、操作盤１５がプリンタ１０の本体から取り外された場合の機密保持処理に関する情報を各画像データに直接設定するようにしてもよい。この場合には、画像データは、機密保持処理に関する情報とともに操作盤１５内の記憶部１５２に記憶されることとなる。そして、機密保持処理部３４は、操作盤１５がプリンタ１０本体から取り外されたことが着脱検知部３２により検知された場合、記憶部１５２に記憶されている機密保持処理に関する情報に基づいて画像データの処理を行うこととなる。
【００４８】
さらに、本実施形態では、記憶部１５２に記憶されている画像データに対して予めセキュリティレベルを設定していたが、各画像データ毎にセキュリティレベルを設定することなく全ての画像データを同様に扱うようにしてもよい。このようにすれば、セキュリティレベル毎に機密保持処理の内容を設定するという手間を省くことが可能である。この場合には、操作盤１５がプリンタ１０の本体から取り外された場合、記憶部１５２に記憶されている画像データは一律に消去されることとなる。
【００４９】
［第２の実施形態］
次に、本発明の第２の実施形態の可搬性記憶装置について説明する。
上記で説明した第１の実施形態はプリンタの操作盤に対して本発明を適用した場合であったが、本発明の第２の実施形態では、本発明をＨＤＤ装置に対して適用したものである。
【００５０】
図１１に、本発明の第２の実施形態の可搬性記憶装置であるＨＤＤユニット１１０のハードウェア構成を示す。本実施形態におけるＨＤユニット１１０は、図１１に示されるように、ＨＤＤ装置１１１と、ＣＰＵ１１２と、電源部１１３とを備えている。ＨＤＤ装置１１１は、画像データ等の画像データを、予め設定されたセキュリティレベルとともに格納する記憶手段として機能する。なお、本実施形態におけるＨＤＤユニット１１０の機能構成については、図５に示した構成と同様であるため、その説明は省略する。
【００５１】
本実施形態におけるＨＤユニット１１０では、上記の第１の実施形態において説明した操作盤１５と同様に、プリンタ１０の本体から取り外された場合、予め設定されているセキュリティレベルに応じて、ＨＤＤ装置１１１内に格納されている画像データに対して消去するという機密保持処理が行われる。
【００５２】
［第３の実施形態］
次に、本発明の第３の実施形態の可搬性記憶装置について説明する。
【００５３】
上記で説明した第１の実施形態はプリンタの操作盤に対して本発明を適用した場合であったが、本発明の第２の実施形態では、本発明をＵＳＢ（Universal Serial Bus）メモリに対して適用したものである。
【００５４】
近年、プリンタ等の画像形成装置には、ＵＳＢ端子が設けられていて、スキャナ等により読み取られた画像データをＵＳＢメモリに格納するようなことが可能となっている。本実施形態は、このようなＵＳＢ端子に接続されるためのＵＳＢメモリに対して本発明を適用したものである。
【００５５】
図１２に、本発明の第３の実施形態の可搬性記憶装置であるＵＳＢメモリユニット１２０のハードウェア構成を示す。本実施形態におけるＵＳＢメモリユニット１２０は、図１２に示されるように、フラッシュメモリ等の不揮発性メモリ１２１と、ＣＰＵ１２２と、電源部１２３とを備えている。不揮発性メモリ１２１は、画像データ等の画像データを、予め設定されたセキュリティレベルとともに格納する記憶手段として機能する。なお、本実施形態におけるＵＳＢメモリユニット１２０の機能構成については、図５に示した構成と同様であるため、その説明は省略する。
【００５６】
本実施形態におけるＵＳＢメモリユニット１２０では、上記の第１の実施形態において説明した操作盤１５と同様に、プリンタ１０の本体から取り外された場合、予め設定されているセキュリティレベルに応じて、不揮発性メモリ１２１内に格納されている画像データに対して消去するという機密保持処理が行われる。
【００５７】
［変形例］
上記実施形態では、プリンタ等の画像形成装置に対して着脱可能な操作盤１５、ＨＤＤユニット１１０、ＵＳＢメモリユニット１２０等の可搬性記憶装置に対して本発明を適用した場合を用いて説明したが、本発明はこれに限定されるものではなく、他の装置に対して着脱可能な可搬性記憶装置に対しても同様に本発明を適用することができるものである。
【００５８】
例えば、パーソナルコンピュータ（以下、パソコンと略す。）に対して、着脱可能な操作盤、ＨＤＤユニット、ＵＳＢメモリユニットのような可搬性記憶装置に対しても、本発明は同様に適用可能である。
【００５９】
このような場合、例えば上記の第３の実施形態で説明したようなＵＳＢメモリユニット１２０を従業員に対して支給して、社内における文書データ等の各種データの移動をこのＵＳＢメモリユニット１２０により行うことを義務付け、社外に持ち出しを禁じるデータに対してセキュリティレベルとしてレベル１を設定しておく。このようにすれば、セキュリティレベルがレベル１に設定されているデータをＵＳＢメモリユニット１２０に格納して社外に持ち出そうとしても、パソコン等の機器からＵＳＢメモリユニット１２０が抜かれた時点でセキュリティレベルがレベル１に設定されているデータは消去されるので、機密性の高いデータが社外に漏洩するのを防ぐことが可能となる。
【００６０】
さらに、上記実施形態では、機密保持処理の一例として画像データの消去処理を行う場合について説明しているが、画像データを暗号化する処理等の他の処理を機密保持処理として行う場合にも本発明は適用可能である。
【図面の簡単な説明】
【００６１】
【図１】本発明の第１の実施形態における画像処理システムのシステム構成図である。
【図２】本発明の第１の実施形態のプリンタ１０の操作盤付近の外観を示す図である。
【図３】操作盤１５をプリンタ１０の本体から取り外した場合の外観を示す図である。
【図４】本発明の第１の実施形態における操作盤１５のハードウェア構成を示す図である。
【図５】本発明の第１の実施形態における操作盤１５の機能構成を示すブロック図である。
【図６】設定部３１により設定された機密保持処理がセキュリティレベルに対応して記憶部１５２に記憶される様子の一例を示す図である。
【図７】端末装置２０から送られてきた画像データがセキュリティレベルとともに記憶部１５２に記憶される様子の一例を示す図である。
【図８】各セキュリティレベルに対する機密保持処理の内容を設定する場合の動作を示すフローチャートである。
【図９】画像データが、設定されたセキュリティレベルとともに操作盤１５の記憶部１５２に記憶される際の動作を示すフローチャートである。
【図１０】画像データを格納した操作盤１５がプリンタ１０の本体から取り外された場合の操作盤１５における動作を示すフローチャートである。
【図１１】本発明の第２の実施形態の可搬性記憶装置であるＨＤＤユニット１１０のハードウェア構成を示す図である。
【図１２】本発明の第３の実施形態の可搬性記憶装置であるＵＳＢメモリユニット１２０のハードウェア構成を示す図である。
【符号の説明】
【００６２】
１０    プリンタ
１５    操作盤
２０    端末装置
３０    ネットワーク
３１    設定部
３２    着脱検知部
３４    機密保持処理部
１１０    ＨＤＤユニット
１１１    ＨＤＤ装置
１１２    ＣＰＵ
１１３    電源部
１２０    ＵＳＢメモリユニット
１２１    不揮発性メモリ
１２２    ＣＰＵ
１２３    電源部
１５１    ＣＰＵ
１５２    記憶部
１５３    通信インタフェース（ＩＦ）
１５４    ユーザインタフェース（ＵＩ）装置
１５５    電源部
１５６    制御バス
Ｓ１０１    ステップ
Ｓ２０１、Ｓ２０２    ステップ
Ｓ３０１〜Ｓ３０３    ステップ
【図１】
2009005201.tif 000003
【図２】
2009005201.tif 000004
【図３】
2009005201.tif 000005
【図４】
2009005201.tif 000006
【図５】
2009005201.tif 000007
【図６】
2009005201.tif 000008
【図７】
2009005201.tif 000009
【図８】
2009005201.tif 000010
【図９】
2009005201.tif 000011
【図１０】
2009005201.tif 000012
【図１１】
2009005201.tif 000013
【図１２】
2009005201.tif 000014